(57)【特許請求の範囲】
【請求項１】
ディスク単体とディスク収納カートリッジとの双方を載置支持可能であり、かつ本体に対して出退動可能なトレイと、上記トレイの出退動に連動してトレイ上のカートリッジのスライドシャッタを開閉動させるシャッタ開閉機構とを備えており、
上記シャッタ開閉機構は、上記トレイ上またはトレイと一体的な部材に形成され、トレイ出退方向と直交する方向に所定長さ延びる幅方向部分およびこの幅方向部分の一端から連続してトレイ出退方向奥方に延びる奥行方向部分を有する第１ガイド溝と、上記トレイの上方に固定的に配置された部材に形成され、トレイ出退方向に対する傾斜部分を少なくとも有する第２ガイド溝と、上記第１ガイド溝と上記第２ガイド溝の双方に対して摺動可能に係合し、かつ上記第１ガイド溝の幅方向部分に沿って摺動するとき、上記カートリッジのスライドシャッタまたはそれと一体的な部材に係合して上記スライドシャッタを開閉動させる摺動体と、を備えて構成されていることを特徴とする、ディスク駆動装置におけるディスクローディング機構。
【請求項２】
上記第１ガイド溝は、トレイにおけるディスク載置領域よりも奥方に形成されている、請求項１に記載のディスク駆動装置におけるディスクローディング機構。
【請求項３】
上記第２ガイド溝は、手前方向に配置される上記傾斜部分と、この傾斜部分から連続してトレイ出退方向奥方に直線状に延びる奥行方向部分とを備える、請求項１または２に記載のディスク駆動装置におけるディスクローディング機構。
【請求項４】
上記第２ガイド溝は、薄板状部材に貫通形成されたスリットの形態をもち、かつこの第２ガイド溝には、上記摺動部材の上部に突出形成した突起が摺動可能に係合している、請求項１ないし３のいずれかに記載のディスク駆動装置におけるディスクローディング機構。
【発明の詳細な説明】
【０００１】
【発明の属する技術分野】
本願発明は、ディスク駆動装置におけるディスクローディング機構に関し、ディスク単体あるいはディスクが収納されたカートリッジのいずれをもローディングすることができるものに関する。
【０００２】
【従来の技術】
従来、ＣＤやＤＶＤ等のディスク単体のためのディスク駆動装置と、光磁気（ＭＯ）ディスクなどのようにディスクが収納されたカートリッジのためのディスク駆動装置とは、そのローディング機構において全く別の機構が採用されるのが普通であった。すなわち、前者においては、装置内部においてディスクをスピンドルおよびクランパに支持させればよいのに対し、後者においては、カートリッジに付設されているスライドシャッタを開動させ、ディスク面の一部をカートリッジの窓孔から光学ヘッドに向けて露出させねばならない。
【０００３】
より具体的には、ディスク単体のためのディスク駆動装置において一般に採用されているローディング機構は、引き出し式に出退するトレイを進出させてその上にディスクを載置し、トレイを引き込ませると、下方からスピンドルが上動してディスクの中心孔を捉え、かつ上方からクランパが下動してディスクの中心部上面を押圧するというものである。一方、カートリッジのためのディスク駆動装置のローディング機構は、スロットからカートリッジを挿入すると、この挿入力を利用して作動するように構成されたシャッタ開閉機構がカートリッジのシャッタを開方向にスライドさせた上、ディスクをスピンドルおよびクランパによって支持させるように構成される。
【０００４】
一方、ディスク単体とカートリッジとの双方をローディングすることができるように構成されたディスク駆動装置も提案されており、その一例はたとえば特開平８−７４６６号公報に示されている。
【０００５】
同公報に示されたディスク駆動装置おけるローディング機構は、引き出し式に出退しうるとともにディスク単体とカートリッジとの双方を適正に載置することができるように形成されたトレイを備え、このトレイにトレイ出退方向と直交する方向に延びる一対のガイドバーを設けるとともにこのガイドバーにカートリッジのスライドシャッタに係合しうるピンを有するスライダを摺動可能に取付ける一方、ベース部材に、トレイの退動時に上記スライダに先端が係合しつつ回動するアームを設けた構成である。トレイが退動すると、上記ベース部材に設けたアーム先端がスライダに係合する。スライダはトレイ出退方向と直交する方向に移動しうるので、上記アームはトレイの退動にともなって次第に折り畳まれるようにして回動する。そして、スライダは、回動するアームの先端の動きのトレイ出退方向と直交する方向の成分にしたがってガイドバー上を摺動し、カートリッジのシャッタを開動させる。
【０００６】
【発明が解決しようとする課題】
しかしながら、上記公報に示されたディスク駆動装置におけるローディング機構においても、なお、次のような問題がある。
【０００７】
第１に、トレイ上にトレイ出退方向と直交する方向の一対のガイドバーを設け、これにスライダを摺動可能に取付けているため、トレイの厚み方向寸法が増大し、ディスク駆動装置として厚み方向の寸法の削減が厳しく求められる場合には採用しづらい。
【０００８】
第２に、トレイ上に上記のような上記スライダを設けることに加え、ベースに回動アームを設ける必要があり、機構が複雑化してコスト的に不利である。
【０００９】
第３に、トレイの退動方向の動きにともなって、ベース上のアーム先端を適正にスライダの所定部位に係合させるため、アームおよびスライダの配置に工夫が必要であるし、ユーザが急激にトレイを押し込む等した場合に上記アーム先端が適正にスライダに係合しない事態が生じる等、誤作動のおそれがある。また、ローディング時にカートリッジのスライダシャッタの開動はなされても、アンローディング時にスライドシャッタを確実に閉動させることができないおそれがある。要するに、カートリッジのローディング時におけるシャッタ開閉動の確実性にやや問題がある。
【００１０】
本願発明は、上記した事情のもので考え出されたものであって、ディスク単体とカートリッジとのいずれをもローディング可能なディスク駆動装置において、カートリッジのローディング時にスライドシャッタをより確実に開閉動させることができるとともに、構造が簡単でより薄型化が可能なディスクローディング機構を提供することをその課題としている。
【００１１】
【発明の開示】
上記の課題を解決するため、本願発明では、次の技術的手段を講じている。
【００１２】
すなわち、本願発明に係るディスク駆動装置におけるディスクローディング機構は、ディスク単体とディスク収納カートリッジとの双方を載置支持可能であり、かつ本体に対して出退動可能なトレイと、上記トレイの出退動に連動してトレイ上のカートリッジのスライドシャッタを開閉動させるシャッタ開閉機構とを備えており、
上記シャッタ開閉機構は、上記トレイ上またはトレイと一体的な部材に形成され、トレイ出退方向と直交する方向に所定長さ延びる幅方向部分およびこの幅方向部分の一端から連続してトレイ出退方向奥方に延びる奥行方向部分を有する第１ガイド溝と、上記トレイの上方に固定的に配置された部材に形成され、トレイ出退方向に対する傾斜部分を少なくとも有する第２ガイド溝と、上記第１ガイド溝と上記第２ガイド溝の双方に対して摺動可能に係合し、かつ上記第１ガイド溝の幅方向部分に沿って摺動するとき、上記カートリッジのスライドシャッタまたはそれと一体的な部材に係合して上記スライドシャッタを開閉動させる摺動体と、を備えて構成されていることを特徴としている。
【００１３】
第１ガイド溝は本体に対して出退動可能なトレイまたはこれと一体的な部材に形成される一方、第２ガイド溝は固定的に配置されているから、トレイを出退動させると、第１ガイド溝と第２ガイド溝とは、トレイ出退方向に相対的に移動する。摺動部材は第１ガイド溝と第２ガイド溝の双方に係合しているから、摺動部材が第１ガイド溝の幅方向部分に係合している場合において、第１ガイド溝と第２ガイド溝とがトレイ出退方向に相対移動すると、摺動部材が第２ガイド溝の傾斜部分を摺動するとき、これによって同時に第１ガイド溝の幅方向部分を幅方向に移動させられる。すなわち、本願発明においては、トレイが出退動するとき、第２ガイド溝の傾斜部分が摺動部材を第１ガイド溝の幅方向部分に沿って幅方向に駆動する。摺動部材のこのような幅方向の動きが、トレイ上に配置されたディスク収納カートリッジのスライドシャッタを開閉動させる。
【００１４】
上記構成を備える本願発明に係るディスクローディング機構においては、シャッタ開閉機構を構成する要素は、上記第１ガイド溝、第２ガイド溝およびこれらに共通的に係合する摺動部材である。第１ガイド溝はトレイ上に形成され、第２ガイド溝はトレイの上方に配置した薄板状の部材に形成することができる。また、摺動部材は、小さなスライドブロック状に形成することができる。したがって、上記シャッタ開閉機構においては、ディスクローディング機構の厚み方向の寸法を増大させる要素がほとんどないため、ディスク単体およびディスク収納カートリッジの双方をローディングできるディスク駆動装置をよりコンパクトに構成することができる。上記第１ガイド溝はまた、上記幅方向部分の一端から連続してトレイ出退方向奥方に延びる奥行方向部分を備えている。このような構成によれば、トレイをある程度退動させた時点から、第２ガイド溝の傾斜部分によって摺動体を幅方向に駆動させることができる。したがって、第２ガイド溝の奥行方向の全長をそれだけ短縮して、第２ガイド溝を設けるべき部材の小型化を図ることができる。
【００１５】
また、シャッタ開閉機構は、摺動体が第１ガイド溝と第２ガイド溝の双方に常時係合する構成であるため、カートリッジのシャッタ開閉動作の確実性が飛躍的に高まる。また、部材点数が少ないので、コスト的に非常に有利となる。
【００１６】
好ましい実施の形態においては、上記第１ガイド溝は、トレイにおけるディスク載置領域よりも奥方に形成されている。一般にディスク駆動装置におけるトレイは、ディスク載置領域が本体から突出する進出状態を実現するために、ディスク載置領域の奥方に常時本体内に支持される部位が存在する。したがって、上記のように第１ガイド溝をトレイのディスク載置領域の奥方に形成するようにすれば、トレイが本来有する奥行方向の寸法範囲内に無駄なく第１ガイド溝を形成することができるのであり、したがって、出退するトレイによるローディング方式をとるディスク駆動装置の奥行方向の寸法を拡大することなく、本願発明を実施することができるようになる。
【００１８】
好ましい実施の形態においてはさらに、上記第２ガイド溝は、手前方向に配置される上記傾斜部分と、この傾斜部分から連続してトレイ出退方向奥方に直線状に延びる奥行方向部分とを備える形態とされる。このようにすれば、摺動体が第２ガイド溝を手前側から奥方へ摺動する初期段階において第１ガイド溝の幅方向部分を移動する。このことは、トレイが退動の終期に至るまでに、完全にカートリッジのシャッタを開動させることができることを意味する。したがって、ローディング状態でのカートリッジの窓部に近接して位置する光学ヘッドとシャッタとの干渉を回避して、ローディング機構のより薄型化に寄与することができる。
【００１９】
好ましい実施の形態においてはまた、上記第２ガイド溝は、薄板状部材に貫通形成されたスリットの形態をもち、かつこの第２ガイド溝には、上記摺動部材の上部に突出形成した突起が摺動可能に係合した構成とすることができる。このように構成すれば、トレイ式のローディング機構の厚み方向の寸法拡大を回避することができる。
【００２０】
本願発明のその他の特徴および利点は、図面を参照して以下に行う詳細な説明により、より明らかとなろう。
【００２１】
【好ましい実施の形態】
以下、本願発明の好ましい実施の形態につき、図面を参照して具体的に説明する。図１はトレイが進出状態にあるディスク駆動装置の外観斜視図、図２はシャッタ開閉機構の要部分解斜視図、図３はシャッタ開閉機構の要部平面図、図４は図３のIV−IV線に沿う拡大断面図、図５は図３のＶ−Ｖ線に沿う拡大断面図、図６〜図９はシャッタ開閉機構の作動説明図、図１０は図９のＸ−Ｘ線断面に相当する図であり、ディスク駆動機構の内部構造を示す。
【００２２】
図１に示されるように、本願発明に係るディスク駆動装置におけるディスクローディング機構１は、装置本体２の前面開口からトレイ３が水平方向に出退し、進出状態としたトレイ３の上面に所定のディスクＣＤないしディスク収納カートリッジ７を載置し、そしてこのトレイ３を退動させて本体内に引き込んでローディングする形式のものである。
【００２３】
トレイ３は、図１ならびに図６〜図１０に示されるように、手前側上面にディスク載置領域31が、その奥方に本体２内の図示しないガイド機構に案内支持される支持部32が、一体的に形成されている。ディスク載置領域31には、１２cmサイズの光ディスクおよび８cmサイ３の光ディスクが嵌まりこむ凹部33が同心状に形成されているとともに、ディスク収納カートリッジ７のコーナ部が嵌合してこれを所定の姿勢に定置させるためのリブ34が形成されている。そして、ディスク載置領域31の中央部から奥方にかけ、上下方向に貫通するスリット35が形成されている。このスリット35は、ローディング状態の光ディスク単体、または、ディスク収納カートリッジ７のディスク73の中心部またはハブ部74を回転支持するためのスピンドル41を通過させ、かつ、ディスク73の半径方向に移動するように配置される光学ヘッド42からの光路を確保するためのものである（図１０参照）。そうして、このトレイ３は、よく知られているように、スイッチ操作により出退動し、あるいは進出状態のトレイ前端部を手動である程度押し込むことにより自動的に退動するようになっている。
【００２４】
また、上記トレイ３の支持部32、すなわち、上記ディスク載置領域31に対して奥方に隣接する領域の上面には、第１ガイド溝５が形成される。この第１ガイド溝５は、幅方向に所定長さ延びる幅方向部分51と、この幅方向部分51の端部から直角に折れ曲がって所定長さ奥方に延びる奥行方向部分52とを備えており、図４によく表れているように、矩形断面をした溝である。この第１ガイド溝５の上記幅方向部分51の長さは、この第１ガイド溝５に係合して摺動する後記する摺動部材６がこの幅方向部分51を摺動するとき、カートリッジ７のスライドシャッタ71を開閉動するに必要な移動行程距離と対応させられている。
【００２５】
上記第１ガイド溝５には、摺動部材６が摺動可能に係合させられている。この摺動部材６は、図２〜図５に示されるように、第１ガイド溝５に嵌合する所定厚みをもった平面視矩形状の下部嵌合部61と、この下部嵌合部61の上に重なるように形成されたシャッタ開閉作動部62と、さらにこのシャッタ開閉作動部62の上面に突出するピン状の上部嵌合部63とを備える。
【００２６】
図２に示すように、上記第１ガイド溝５の幅方向部分51の溝幅W1は、摺動部材６の下部嵌合部61の奥行寸法L1と対応しており、上記第１ガイド溝６の奥行方向部分52の溝幅W2は、摺動部材６の下部嵌合部61の幅方向寸法L2と対応している。したがって、摺動部材６が上記第１ガイド溝５に係合して移動するとき、そのθ方向の姿勢は常に一定となる。すなわち、摺動部材６は、シャッタ開閉作動部62の突起62ａがつねに手前方向に突出する姿勢で移動する。
【００２７】
上記摺動部材６の上記シャッタ開閉作動部62には、図２に良く表れているように、手前方向に突出する突起62ａが形成されている。この突起62ａは、トレイ３に装填されたディスク収納カートリッジ７のスライドシャッタ71またはこれと一体的な部材に形成された、たとえば凹部に係合する。また、上記摺動部材６の上記上部嵌合部63は、後記する第２ガイド溝８に摺動可能に嵌合する。
【００２８】
本体２内においては、トレイ３の上方においてトレイの移動と干渉しないようにトレイ３と平行に配置された板状部材21には、この板状部材21を貫通するスリット状の第２ガイド溝８が形成される。この第２ガイド溝８は、手前部において、トレイ３の出退移動方向に対して傾斜する傾斜部分81と、この傾斜部分81の奥方端からトレイ出退方向に直線的に延びる奥行方向部分82とを備える。この第２ガイド溝８は、上述したように、上記摺動部材６の上端に形成された突起状の上部嵌合部63の直径と対応して、この上部嵌合部63が係合しつつ溝方向に摺動しうるように溝幅が設定される。
【００２９】
上記トレイ３上に形成される第１ガイド溝５と上記板状部材21に形成される第２ガイド溝８との平面的な関係は、次のとおりである。まず、第２ガイド溝８の上記傾斜部分81は、手前方向端部から奥方に向かうほど左方に偏倚するように傾斜する。そして、この傾斜部分81の手前方向端部の幅方向位置は、上記第１ガイド溝５の幅方向部分51の右端、すなわち、奥行方向部分52のトレイ幅方向位置と対応させられる。また、この傾斜部分81の幅方向偏倚量は、上記第１ガイド溝５の幅方向部分51の延長寸法と対応させられている。さらに、第２ガイド溝８の傾斜部分81の傾斜角度は、トレイ３をどの程度引き込んだ時点でカートリッジ７のスライドシャッタ71の開動を完結させるかによって選択される。そうして、図２〜図５に表れているように、上記摺動部材６は、その下部嵌合部61が第１ガイド溝５に、上部嵌合部63が第２ガイド溝８に係合するようにして、第１ガイド溝５と第２ガイド溝８の双方に係合し、かつ、これらに対し摺動しうる。
【００３０】
次に、上記構成のディスクローディング機構、とりわけ、ディスク収納カートリッジ７が装填された場合のシャッタ開閉機構の作動を説明する。
【００３１】
トレイ３がその移動行程前端の進出状態にあるとき、図６に示すように、摺動体６は第１ガイド溝５の奥行方向部分52の最奥端に、第２ガイド溝8 の傾斜部分81の最前端にそれぞれ位置する。
【００３２】
この状態においてトレイ３上にディスク収納カートリッジ７を載置する。なお、カートリッジ７のスライドシャッタ71は、図６、図７に示される閉状態と、図８、図９に示される開状態との間をスライド可能となっており、通常、図示しない内蔵のバネにより、閉方向に付勢されている。また、シャッタ棒７１ａはスライドシャッタ７１と一体形成されている。
【００３３】
上記トレイ３を手動によって、またはスイッチ操作によって退動させると、まず、摺動体６は、第２ガイド溝８の傾斜部分81の前端位置を維持しながら、トレイ３の退動にともなって第１ガイド溝５の奥行方向部分52を相対的に手前方向に移動し、図７に示されるように、この奥行方向部分52の手前側端部まで至る。この時点で摺動部材６のシャッタ開閉作動部62の突起62ａがカートリッジ７のスライドシャッタ71またはこれと一体的な部材に係合する。
【００３４】
トレイ３が図７に示す状態からさらに奥方向に退動を続けると、摺動体６は、それ以上のトレイ３に対する進退方向の相対移動が規制されるため、第２ガイド溝８の傾斜部分81を相対的に奥方向に摺動する。傾斜部分81はトレイ３の進退方向に対して傾斜しており、かつ第１ガイド溝５に対してはその幅方向部分51によって摺動体６の幅方向の移動が許容されているから、このような摺動体６の第２ガイド溝８の傾斜部分81に沿う移動にともなって、同時に第１ガイド溝５の幅方向部分51を移動する。このような摺動体６の幅方向の移動により、図８に示されるように、ディスク収納カートリッジ７のシャッタ71はバネによる閉方向の付勢力に抗して開動させられる。
【００３５】
トレイ３が図８に示される状態からさらにその移動行程の最奥端まで奥方向に退動を続けるとき、摺動体６は、第１ガイド溝５における幅方向部分51の定位置（シャッタ71を開とする位置）を維持しつつ、第２ガイド溝8 の奥行方向部分81をその最奥端まで移動して図９に示すディスクローディング状態となる。
【００３６】
このディスクローディング状態では、図１０に模式的に示すように、カートリッジ７のディスク73のハブ部分74を下側から回転支持するためのスピンドル41が上動する。このようなディスク回転駆動機構は、カートリッジ内に装填されるディスクのタイプによって種々に変更しうるが、トレイに光ディスク単体を装填してこれをローディングすることも可能なように、カートリッジ７内のディスクと光ディスク単体の双方を適切に回転支持できる機構が採用されるべきである。なお、図１０において符号43は、ディスク単体がローディングされた場合にその中心穴付近を押圧して、スピンドル41と協働してディスク単体を回転支持するためのクランパを示す。
【００３７】
ローディングされたカートリッジ７内のディスク73に担持された情報は、上記のようにしてスライドシャッタ71が開動させられることによってカートリッジ７の窓孔から露出させられたディスク面に光学ヘッド42を作用させることによって読み出される。また、カートリッジ７内のディスクが光磁気による読み書き可能なものである場合には、それに適した光学ヘッドを作用させることにより、ディスク面への情報書込みが行われる。
【００３８】
ディスクをアンロードする場合には、スイッチ操作により、トレイ３を図９に示す退動状態から図６に示す進出状態まで進出させる。このとき、摺動体６の第１ガイド溝５と第２ガイド溝８に対する動きは、ディスクローディング時についての上述の説明と逆になる。摺動体６が第１ガイド溝５の幅方向部分51を図６〜図９の右方向に動くとき、カートリッジ７のスライドシャッタ71は、バネによる閉方向への付勢力により、摺動体６の移動に従動して閉動する。
【００３９】
もちろん、この発明の範囲は上述した実施形態に限定されるものではなく、特許請求の範囲に記載された事項の範囲内でのあらゆる変更は本願発明の範囲に含まれる。とくに、摺動体に幅方向の動きをさせてこれにカートリッジのスライドシャッタの開閉動をさせるという意味においては、第１ガイド溝５には、少なくとも実施形態における幅方向部分51を備えておればよく、第２ガイド溝８には、少なくとも実施形態における傾斜部分81を備えておれば良い。
【００４０】
【発明の効果】
上記したように本願発明に係るディスク駆動装置におけるディスクローディング機構によれば、次の効果を奏することができる。すなわち、シャッタ開閉機構を構成する要素は上記第１ガイド溝、第２ガイド溝およびこれらに共通的に係合する摺動部材である。そして第１ガイド溝はトレイ上に形成され、第２ガイド溝はトレイの上方に配置した薄板状の部材に形成することができるし、摺動部材は小さなスライドブロック状に形成することができる。したがって、上記シャッタ開閉機構は、ディスクローディング機構の厚み方向の寸法を拡大する要素はほとんどないため、ディスク単体およびディスク収納カートリッジの双方をローディングできるディスク駆動装置をよりコンパクトに構成することができる。
【００４１】
また、シャッタ開閉機構は、摺動体が第１ガイド溝と第２ガイド溝の双方に常時係合する構成であるため、カートリッジのシャッタ開閉動作の確実性が飛躍的に高まる。また、部材点数が少ないので、コスト的に非常に有利となる。
【図面の簡単な説明】
【図１】トレイが進出状態にあるディスク駆動装置の外観斜視図である。
【図２】シャッタ開閉機構の要部分解斜視図である。
【図３】シャッタ開閉機構の要部平面図である。
【図４】図３のIV−IV線に沿う拡大断面図である。
【図５】図３のＶ−Ｖ線に沿う拡大断面図である。
【図６】シャッタ開閉機構の作動説明図である。
【図７】シャッタ開閉機構の作動説明図である。
【図８】シャッタ開閉機構の作動説明図である。
【図９】シャッタ開閉機構の作動説明図である。
【図１０】図９のＸ−Ｘ線断面に相当する図であり、ディスク駆動機構の内部構造を示す。
【符号の説明】
１    ディスクローディング機構
２    装置本体
２１  板状部材
３    トレイ
３１  （トレイの）ディスク載置領域
３２  （トレイの）支持部
３３  凹部
３４  リブ
３５  スリット
４１  スピンドル
４２  光学ヘッド
４３  クランパ
５    第１ガイド溝
５１  （第１ガイド溝の）幅方向部分
５２  （第１ガイド溝の）奥行方向部分
６    摺動部材
６１  （摺動部材の）下部嵌合部
６２  （摺動部材の）シャッタ開閉作動部
６３  （摺動部材の）上部嵌合部）
７    カートリッジ
７１  （カートリッジの）スライドシャッタ
８    第２ガイド溝
８１  （第２ガイド溝の）傾斜部分
８２  （第２ガイド溝の）奥行方向部分
【図１】
0003808626.tif 000002
【図２】
0003808626.tif 000003
【図３】
0003808626.tif 000004
【図４】
0003808626.tif 000005
【図５】
0003808626.tif 000006
【図６】
0003808626.tif 000007
【図７】
0003808626.tif 000008
【図８】
0003808626.tif 000009
【図９】
0003808626.tif 000010
【図１０】
0003808626.tif 000011